(57)【要約】【課題】  外部装置における用紙種別と記録装置における用紙種別が一致していない場合や、１つの用紙情報に対して複数の用紙情報が対応する場合に、ユーザが所望の用紙の種類を設定することが困難である。【解決手段】  選択可能な用紙情報と外部装置が有する用紙種別を対応づけておき、用紙種別を選択するときにその対応情報を表示するようにする。【選択図】  図１
2007326304.tif 000002
【特許請求の範囲】
【請求項１】
外部装置からの印刷データを記録する記録装置において、
印刷データを記録するための用紙情報を選択する選択手段と、
前記選択手段で選択可能な用紙情報を表示する表示手段と、
前記選択手段で選択された用紙情報を、前記記録手段で印刷データを記録するための用紙情報として設定する設定手段と、
前記選択手段で選択可能な用紙情報と前記外部処理装置が有する用紙情報を対応づけて、前記表示手段に表示するように制御する制御手段を有することを特徴とする記録装置。
【請求項２】
前記記録装置で表示される用紙情報と前記外部処理装置が有する用紙情報とを対応付けて記憶する記憶手段を有し、
前記制御手段は、前記記憶手段に記憶された用紙情報に基づいて、前記表示手段に用紙情報を表示するように制御することを特徴とする請求項１に記載の記録装置。
【請求項３】
前記表示手段で表示される用紙情報、あるいは前記記憶手段に記憶される用紙情報は、用紙の種類と用紙のサイズの少なくとも１つで構成されることを特徴とする請求項１あるいは２に記載の記録装置。
【請求項４】
前記制御手段は、前記表示手段に前記用紙情報を同時に表示するように制御することを特徴とする請求項１に記載の記録装置。
【請求項５】
前記制御手段は、前記記憶手段に記憶された用紙情報の組み合わせのうち、一部の組み合わせを表示するように制御することを特徴とする請求項２に記載の記録装置。
【請求項６】
前記設定手段によって用紙情報を設定するために、前記外部処理装置から用紙情報を受信する受信手段を有し、
前記記憶手段に記憶された用紙情報の特定の組み合わせについては、前記受信手段によって用紙情報を受信した場合のみ、前記設定手段によって用紙情報を設定することを特徴とする請求項１に記載の記録装置。
【請求項７】
前記用紙情報が外部装置から設定されている場合には、前記制御手段は、前記表示手段に用紙情報が外部装置から設定されていることを表示するように制御することを特徴とする請求項４に記載の記録装置。
【請求項８】
さらに、複数の給紙トレイを有し、
前記選択手段は、複数の給紙トレイごとに前記選択手段を持つことを特徴とした請求項１に記載の記録装置。
【発明の詳細な説明】
【技術分野】
【０００１】
本発明は、記録装置に関し、特に用紙の設定を簡単に行うことのできる記録装置に関する。
【背景技術】
【０００２】
一般に、プリンタは接続される外部装置において、外部装置内に前記プリンタ専用の印刷ドライバが組み込まれている。その専用の印刷ドライバによって用紙のサイズ・紙質等を選択し、選択された用紙サイズ・紙質に合わせて画像形成を行い印刷データを作成し、前記印刷データを前記プリンタに送出して、印刷が実行される。
【０００３】
その他に複合プリンタといいメモリーカード読取装置やスキャナ装置を複合したプリンタがある。複合プリンタでは、給紙トレイから搬送された記録用紙に、メモリーカードから読み込んだ画像やスキャナから読み込んだ画像の印刷をすることができる。また、複合プリンタでは、設定された紙質に合わせて色合い、インクの打ち込み量等の画像形成条件を最適な条件にして複合プリンタ内で画像形成を行い印刷を行う装置がある。このような紙質に応じた画像形成条件を設定する場合、複合プリンタに用紙の紙質を認識させるために、ユーザは給紙する用紙の紙質を予め選択するという操作を行う。それとともに、ユーザは紙質の選択とは別に用紙サイズの選択を行う。複合プリンタはこの選択された用紙サイズに従って画像形成を行う範囲の決定を行う。
【０００４】
最近では、外部装置に接続されても、外部装置側にプリンタ専用の印刷ドライバを持たず、プリンタ内の画像形成機能を利用して印刷を行う外部装置がでてきた。この外部装置では、専用の印刷ドライバを持たないため、プリンタと外部装置とのインターフェースさえ決めてあれば、専用の画像形成をプリンタ側で行わせるため、どのメーカのプリンタにも接続することが可能となる。その外部装置の例の代表としてデジタルテレビがあげられる。
【０００５】
さて、外部装置側からの要求に応じて印刷する場合や、複合プリンタ単独で印刷する場合に、ユーザによって所望する用紙サイズや用紙の種類の選択が行なわれる。
例えば、用紙サイズを選択すればその選択された用紙サイズに対応付けられた用紙種類を表示させ選択させたり（特許文献１参照）、用紙サイズと用紙種類を同時に表示して選択させたりすることができる（特許文献２参照）これらは、記録装置側の制御可能な用紙サイズまたは用紙種類の選択しかできず、デジタルテレビが制御可能な用紙種類と、記録装置側の制御可能な用紙種類の関係が設定できず、最適な画像形成条件を設定できなかった。
【特許文献１】特開２００５−０８４４３５
【特許文献２】特開平０８−１９０４６４
【発明の開示】
【発明が解決しようとする課題】
【０００６】
このような仕様のデジタルテレビでは、どのメーカのプリンタにも接続可能となるように作られているため、用紙の紙質の種類として一般的な名称が使用されている。
【０００７】
例えば、デジタルテレビから写真を印刷する場合には、写真紙を紙質としてプリンタに指定してくる。しかしながら、写真紙でも様々な種類があり、その種類ごとにプリンタ側では画像形成条件を設定し画像形成を行っている。そのため、プリンタ側ではデジタルテレビで指定される写真紙を、プリンタ側でどのタイプの写真紙に割り当てるかを設定させる必要が生じてくる。また、印刷させる用紙サイズまで選択させようとすれば、プリンタ側ではデジタルテレビで選択される用紙種類、デジタルテレビで選択される用紙種類に対応した用紙の種類、そして用紙サイズと３つの用紙に関する事柄を設定させなければならない。
【０００８】
そこで本発明の目的は、このような背景の下になされたもので、その目的は所望の印刷用紙を簡単に設定し得る印刷用紙設定装置を提供することにある。
【課題を解決するための手段】
【０００９】
上記の目的を達成するため、外部装置からの印刷データを記録する記録装置は、印刷データを記録するための用紙情報を選択する選択手段と、前記選択手段で選択可能な用紙情報を表示する表示手段と、前記選択手段で選択された用紙情報を、前記記録手段で印刷データを記録するための用紙情報として設定する設定手段と、前記選択手段で選択可能な用紙情報と前記外部処理装置が有する用紙情報を対応づけて、前記表示手段に表示するように制御する制御手段を備えている。
【発明の効果】
【００１０】
用紙の種類を示すために一般的な名称が使用される外部装置からの印刷データを印刷する記録装置において、外部装置で印刷できる記録用紙の種類と記録装置側で選択可能な用紙の種類を同時に表示するようにした。そして、その組み合わせを用紙情報として設定登録するので、ユーザ自身が外部装置で印刷できる記録用紙の種類と記録装置側で選択可能な用紙の種類の違いを認識することなく簡単に設定し得るようになった。
【発明を実施するための最良の形態】
【００１１】
以下、添付図面を参照して本発明の好適な実施の形態を詳細に説明する。
【実施例】
【００１２】
図１０は、本記録装置の構成例を示すブロック図である。
【００１３】
記録装置には、不図示の用紙を格納しておける２つの上下用紙カセットが備わっているとする。２３１はマイクロプロセッサユニット、２３２は、記録装置の制御や後述する本発明のプログラムを格納したＲＯＭ、２３３は、プログラム実行時にワークエリアとして用いられたり、印刷画像データ等を記憶しておくためのＲＡＭである。マイクロプロセッサ２３１は、ペーパエンドセンサ２４０，キャリッジホームセンサ２４３，回復系センサ２３７のセンサで記録用紙の有無を判断する。そしてキャリッジの位置，回復系ユニットの状態を確認しながら、搬送モータドライバ２３８，キャリッジモータドライバ２４１，回復系モータドライバ２３５に駆動パルスを与え、搬送モータ２３９，キャリッジモータ２４２，回復系モータ２３６を制御する。２５０は操作パネル部で図１１に示すような上カセット選択キー３１や下カセット選択キー３２、設定キー３３、キャンセルキー３４や、記録装置の状況を表示したり、記録用紙の選択の際に用紙情報を表示するための液晶表示器３５を含む。通常何もない状態すなわち印刷待機中では液晶表示器には「印刷できます」という表示がなされている。また不図示のデジタルテレビからは印刷する画像ファイルや印刷のための命令や印刷データがインターフェース２３４を介してマイクロプロセッサ２３１に送られる。インターフェース２３４より送られてきたデータがＪＰＥＧ等の画像データであれば、現在設定されている用紙情報から用紙に合わせて画像形成を行い印刷データを作成し、前記モータを動作させながら記録ヘッド２４４で記録する。
【００１４】
次に図１〜図９は、用紙設定時における液晶表示例であり、これらと図１１を参照しながら記録用紙の選択方法を述べる。
【００１５】
まず、外部装置であるデジタルテレビでは印刷できる記録用紙の種類として、普通紙、写真紙があるとする。また、記録装置側で選択可能な用紙の種類として、デジタルテレビの指定する普通紙に対しては普通紙、デジタルテレビの指定する写真紙に対してはメーカ専用の用紙種類であるスーパーフォト、プロフォトの種類があるとする。
【００１６】
そして、記録装置には用紙を格納しておける上下２つの用紙カセットが内蔵されており、液晶表示器３５には印刷待機中である「印刷できます」が表示されているとする。
【００１７】
前記２つの用紙カセットのうち、まず上部の用紙カセットに格納されている用紙の設定を行う場合には、上カセット選択キー３１を押下する。上カセット選択キー３１が押下されれば液晶表示器３５には、デジタルテレビの指定可能な用紙種類と本記録装置で選択可能な用紙種類の第一の組み合わせを図１のように同時に表示する。請求項２に記載の記録装置ではさらに用紙サイズも合わせて図２のように第一の組み合わせとして表示する。さらに上カセット選択キー３１が押下されると図３のように第二の組み合わせを表示する。用紙サイズを含める場合には図４のようになる。ここでデジタルテレビの指定可能な用紙と記録装置の選択可能な記録用紙の全ての組み合わせを表示しようとすれば、組み合わせの数が多くなり所望の組み合わせを表示するまでキー操作が煩雑になる。このような場合、さらに上カセット選択キー３１が押下されても新たな組み合わせの表示を行わず、図１（用紙サイズを含む場合には図２）の表示を行い、図１と図３の組み合わせを自動で交互に表示する。前記組み合わせを表示している状態で設定キー３３を押下すると、前記組み合わせを上のカセットの用紙情報としてメモリに登録し、液晶表示器３５を記録装置の現在の状態に戻す（通常は「印刷できます」を表示）。以降デジタルテレビで指定される用紙はこの登録された組み合わせ情報によって記録装置の制御可能な用紙の種類に置き換えられる。そしてデジタルテレビから送られてくるデータが画像形成処理が必要な場合には、前記置き換えられた用紙情報で画像形成を行い記録用紙に印刷する。また下部の用紙カセットに格納されている用紙の設定を行う場合には、下カセット選択キー３１を押下する。動作としては上部の用紙カセットの用紙の設定を行う場合と同様である。ただし液晶表示器３５には下部カセットの用紙の組み合わせとして図５、図７を表示するものとする。また用紙サイズを組み合わせの中に入れた場合には図６、図８を表示する。
【００１８】
また、設定キー３３を印刷待機中（液晶表示器には「印刷できます」を表示）に押下すれば、図９のように現在の用紙設定情報が数秒間表示されユーザは、現在の用紙設定情報を確認できる。キャンセルキー３４は、行っている用紙設定を止めたいときに押下するキーである。すなわち、上記説明した図１から図８の表示中に押下すれば液晶表示器３５は「印刷できます」を表示し、記録装置は印刷待機中に戻る。
【００１９】
その他に、前記組み合わせの中にユーザの所望の組み合わせが存在しない場合には、デジタルテレビのブラウザから記録装置の情報を読み出し、設定したい用紙情報を記録装置に伝達する。その場合、印刷待機中に設定キー３３を押下した場合には、内蔵した組み合わせでないので、「ＴＶからの設定」と表示を行い、ユーザにデジタルテレビから設定されていることを表示する。
【図面の簡単な説明】
【００２０】
【図１】用紙設定時における液晶表示例
【図２】用紙設定時における液晶表示例
【図３】用紙設定時における液晶表示例
【図４】用紙設定時における液晶表示例
【図５】用紙設定時における液晶表示例
【図６】用紙設定時における液晶表示例
【図７】用紙設定時における液晶表示例
【図８】用紙設定時における液晶表示例
【図９】用紙設定時における液晶表示例
【図１０】本記録装置の構成例を示すブロック図
【図１１】操作パネル部の一実施例
【符号の説明】
【００２１】
３１  上カセット選択キー
３２  下カセット選択キー
３３  設定キー
３４  キャンセルキー
３５  液晶表示器
【図１】
2007326304.tif 000003
【図２】
2007326304.tif 000004
【図３】
2007326304.tif 000005
【図４】
2007326304.tif 000006
【図５】
2007326304.tif 000007
【図６】
2007326304.tif 000008
【図７】
2007326304.tif 000009
【図８】
2007326304.tif 000010
【図９】
2007326304.tif 000011
【図１０】
2007326304.tif 000012
【図１１】
2007326304.tif 000013